(57)【特許請求の範囲】
【請求項１】
周囲の板状の外枠と，この外枠内に設けられた補強リブと，前記外枠の内面に外枠周方向に間隔をあけて固定された，外枠上端縁につながる傾斜面およびこの傾斜面につながる平坦面を持つ複数の面板受けと，この面板受け上に乗せられた，前記面板受けの傾斜面に沿う傾斜端縁を周囲に持つ木材または樹脂の面板と，この面板を前記面板受けに固定する固定手段とを備えたことを特徴とするコンクリート型枠パネル。
【請求項２】
前記外枠の面板受けが外枠に設けられた連結穴の位置を外れて取り付けられたことを特徴とする請求項１記載のコンクリート型枠パネル。
【請求項３】
前記外枠の上端縁を面板受けの傾斜面と面一となる傾斜で面取りしたことを特徴とする請求項１または記載のコンクリート型枠パネル。
【請求項４】
前記外枠の内側にこの外枠と相似形で小サイズの板状の内枠を設け，この内枠と前記外枠とを前記面板受けで一体結合し，この内枠の内部に補強リブを設けたことを特徴とする請求項１または記載のコンクリート型枠パネル。
【発明の詳細な説明】
【０００１】
【発明の属する技術分野】
この発明は，コンクリート構造物を構築する際のコンクリート型枠を形成するコンクリート型枠パネルに関する。
【０００２】
【従来の技術】
従来の鋼製の一般的なコンクリート型枠パネルは，図９に示すように，例えば矩形の面板１の周囲に外枠２を有し，外枠２の内部に格子状に補強リブ３，４を設けた構成であり，すべて鋼板からなっている。そして，隣接するコンクリート型枠パネル（以下，型枠パネルという）５どうしの連結は，図１０（イ）に示すように，外枠２にあけた連結穴２ａに通したクランプ金具６’で外枠２どうしをクランプして行う。
一般にメタルフォームと称されているこの種の型枠パネル５は，強度が高い，繰り返し使用できる，標準化されており汎用性が高く多くの場合に採用可能である，クランプ金具６’を用いて行う隣接する型枠パネル５どうしの結合が簡単で型枠施工の作業性がよい，等の種々の長所があり，広く用いられている。
【０００３】
【発明が解決しようとする課題】
しかし，上記従来の型枠パネル５は軽量化を図ってはいるが，やはりすべて鋼板製なので，重量がやや重く作業者の負担となり，さらに軽量化が望まれる。
また，複数の型枠パネル５を組み合わせてコンクリート型枠を形成した時，隣接する型枠パネル５間の境界部は，図１０（イ）のように２枚の外枠２が重ね合わされたかたち，あるいは，図１０（ロ）のようにある厚みの面板１の直角な端面が突き合わされたかたちであり，単一平面ではないので，コンクリート打設後に脱型した時，この境界部分が目地として目立ち易い。
【０００４】
本発明は上記従来の欠点を解消するためになされたもので，コンクリート型枠パネルの一層の軽量化を図るとともに，目地の目立たないコンクリートの仕上がり面を得ることができるコンクリート型枠パネルを提供することを目的とする。
【０００５】
【課題を解決するための手段】
上記課題を解決する本発明のコンクリート型枠パネルは，周囲の板状の外枠と，この外枠内に設けられた補強リブと，前記外枠の内面に外枠周方向に間隔をあけて固定された，外枠上端縁につながる傾斜面およびこの傾斜面につながる平坦面を持つ複数の面板受けと，この面板受け上に乗せられた，前記面板受けの傾斜面に沿う傾斜端縁を周囲に持つ木材または樹脂の面板と，この面板を前記面板受けに固定する固定手段とを備えたことを特徴とする。
【０００６】
請求項２は，請求項１における外枠の面板受けが外枠に設けられた連結穴の位置を外れて取り付けられたことを特徴とする。
【０００７】
請求項３は，請求項１または２における外枠の上端縁を面板受けの傾斜面と面一となる傾斜で面取りしたことを特徴とする。
【０００８】
請求項４は，請求項１または２における外枠の内側にこの外枠と相似形で小サイズの板状の内枠を設け，この内枠と前記外枠とを前記面板受けで一体結合し，この内枠の内部に補強リブを設けたことを特徴とする。
【０００９】
【発明の実施の形態】
以下，本発明の実施の形態を図１〜図８に示す一実施例を参照して説明する。図１は本発明の一実施例のコンクリート型枠パネル（以下，単に型枠パネルという）１１の分解斜視図を示す。図示のように，この型枠パネル１１は，例えば鋼製の枠体１２と樹脂製の面板１３とからなっている。
【００１０】
前記枠体１２は，図２（イ）の平面図，図２（ロ）の正面図にも示すように，矩形状をなす周囲の板状の外枠１５と，この外枠１５の内側に配置した一回り小さな同じく矩形状の板状断面の内枠１６と，この内枠１６内に格子状に設けた補強リブ１７，１８と，前記外枠１５の周方向に間隔をあけた複数箇所において外枠１５と内枠１６とを一体結合している面板受け１９とからなっている。
【００１１】
前記面板受け１９は，図３にも示すように，例えば４５°の内側下り傾斜の傾斜面１９ａと，この傾斜面１９ａの下端につながる平坦面１９ｂとを持ち，外枠１５と内枠１６との間に配置され両者１５，１６に溶接固定されて，両者１５，１６を一体結合している。また，面板１３を取り付けるねじ２０を挿入する取付穴１９ｃをあけている。
また，前記外枠１５の上端面は，前記面板受け１９の傾斜面１９ａと面一となるように同じ４５°の角度で面取りした傾斜面１５ａとされている。
【００１２】
前記面板１３は，面板受け１９および外枠１５の傾斜面１９ａ，１５ａに沿う４５°の傾斜端面１３ａを周囲に有している。図示例の面板１３は，例えば発泡倍率２０倍の発泡ポリプロピレン１３ｂをポリプロピレンシート１３ｃで被覆した構造である。
【００１３】
また，外枠１５には，面板受け１９から外れた位置であって周方向に間隔をあけた複数の位置に，図６に示すクランプ金具６を差し込む連結穴１５ｂを設けている。このクランプ金具６は，図９に示した従来の一般的な鋼製の型枠パネル５に用いている図１０のクランプ金具６’と同様な構造であり，図７にも斜視図で示すように，連結穴１５ｂに差し込まれるピン部１６ａと，概ねＵ字形のクランブ部１６ｂと，ピン部１６ａとクランプ部１６ｂとをつなぐアーム部１６ｃとからなり，それら各部１６ａ，１６ｂ，１６ｃが直交３軸の各軸とそれぞれ平行な構造である。
【００１４】
縦方向の補強リブ１７は，図４に示すようにＴ形断面をなし，面板１３を取り付けるねじ２０を挿入する取付穴１７ａを複数箇所に設け，両端が内枠１６の短辺内面に溶接固定されている。
横方向の補強リブ１８は，図５に示すように単なる板状断面をなし，内枠１６および縦の補強リブ１７に溶接固定されている。
【００１５】
前記面板１３は，これを周囲の傾斜端面１３ａが面板受け１９および外枠１５の傾斜面１９ａ，１５ａに接触するようにして枠体１２の上に乗せ，ねじ２０を面板受け１９または補強リブ１７の各取付穴１９ｂ，１７ａから挿入し面板１３にねじ込むことにより，枠体１２側に固定している。
【００１６】
上記の型枠パネル１１を用いたコンクリート型枠施工において，隣接する型枠パネル１１どうしの連結は図６，図７のようにして行う。すなわち，隣接する型枠パネル１１の外枠１５どうしを重ね合わせ，各連結穴１５ｂにおいてクランプ金具６により連結する。この場合，クランプ金具６のアーム部６ｃを図７に２点鎖線で示すように垂直にした状態でピン部６ａを連結穴１５ｂに差し込み，矢印で示すように９０°上に回してクランプ部６ｂで２枚の外枠１５をクランプ（実線の状態）する。このように，いわばワンタッチで外枠１５どうしの連結を行うことができる。
【００１７】
上記クランプ金具６による外枠１５どうしの連結において，クランプ部６ｂが２枚の外枠１５を堅固にクランプできるためには，クランプ代として連結穴１５ｂから下端縁までの距離（図７のｈ寸法）が一定以上必要である。したがって，仮に面板受け１９が外枠１５の全周に連続形成されているとすれば，面板受け１９がクランプ金具６に干渉するので，この種のクランプ金具６による連結手段を採用できない。しかし，本発明では面板受け１９が外枠１５の周方向に間隔をあけて設けられているので，面板受け１９はクランプ金具６に干渉せず，クランプ金具６のスペースを確保でき，この種のクランプ金具６による連結手段の採用が可能である。
また，面板１３は樹脂製であり鋼板製の面板の場合より必然的に厚み寸法が大となるので，面板１３自体がクランプ金具６と干渉する可能性があるが，面板１３の周縁は傾斜端面１３ａとなっているので，クランプ金具６との干渉は避けられる。
したがって，上述の通り，図９に示した従来の一般的な鋼製の型枠パネル５に用いる図１０のクランプ金具６’と同じクランプ金具６を使用することができ，型枠施工において本発明の型枠パネル１１を従来の一般的な型枠パネル５と併用することができる。併用した場合の本発明の型枠パネル１１と従来の型枠パネル５との連結状態を図８に示す。
【００１８】
上記の型枠パネル１１は，面板１３が樹脂製であるから軽量であり，持ち運び・保持等が容易であり，型枠施工の作業性が向上する。
また，実施例の面板１３はポリプロピレンを用いているが，その表面性状からして，面板１３表面へのコンクリート付着は少ない。したがって，コンクリートの仕上がり面がきれいになる。また，コンクリート打設時の剥離剤の使用も不要となる。また，繰り返して使用する当該型枠パネル１１の使用後の洗浄が容易である。
【００１９】
また，隣接する型枠パネル１１間の境界部分は，図６に示すように，面板１３の傾斜端縁１３ａの鋭角の先端どうしが互いに突き合わされた形で直接接触しているので，隙間のきわめて少ないほとんど連続平面とすることができ，目地の目立たないきれいなコンクリート仕上がり面を得ることができる。
【００２０】
なお，実施例では外枠１５の内側に内枠１６を設けているが，内枠１６を設けずに補強リブ１７，１８を外枠１５に直接溶接固定した構造としてもよい。
また，実施例では面板１３を面板受け１９，補強リブ１７にねじ２０で固定しているが，接着剤で接着して固定してもよい。
また，実施例では面板受け１９を外枠１５の四辺すべてに設けているが，例えば長辺側等の二辺のみに設けることも考えられる。
また，補強リブ１７，１８の断面形状，およびその配置は，当然，実施例のものに限定されない。
また，外枠１５どうしを連結する手段として，図示例のクランプ金具６以外のものを用いることは当然可能である。
また，実施例では外枠１５の上端縁を面取りして傾斜面１５ａを形成しているが，面取りしない直角端面のままとすることを除外するものではない。
また，面板は発泡ポリプロピレンに限らず，他の樹脂を用いることができ，さらに，ベニヤ板等の木材を用いることも可能である。
また，枠体１２の外枠１５，補強リブ１７，１８，面板受け１９は，鋼に限らず，例えばアルミなど他の金属を用いることができ，さらには樹脂を用いることもできる。
さらに，型枠パネル１１の外枠１５は通常は実施例のように矩形であるが，矩形以外のものにも適用可能である。
【００２１】
【発明の効果】
本発明のコンクリート型枠パネルによれば，面板として木材または樹脂を用いているので，型枠パネルの軽量化が図られ，持ち運び・保持等が容易であり，型枠施工の作業性が向上する。
また，特に樹脂の面板を用いた場合には，樹脂の表面性状からして，面板表面へのコンクリート付着は少ないので，コンクリートの仕上がり面がきれいになり，また，コンクリート打設時の剥離剤の使用が不要となり，また，繰り返して使用する当該型枠パネルの使用後の洗浄が容易になる。
また，面板は，損傷した場合には容易に取り替えることができる。
【００２２】
面板受けは外枠の全周に連続形成しているのでなく，間隔をあけて設けているので，隣接する型枠パネルの外枠どうしをクランプ金具を用いて連結するためのスペースを容易に確保できる。したがって，単なる外枠と補強リブと面板とからなるすべて鋼板製の型枠パネルいわゆるメタルフォームと同じクランプ金具で連結することができ，メタルフォームとの併用が可能である。
【００２３】
請求項３によれば，隣接する型枠パネル間の境界部分において，コンクリート仕上がり面となる面に関しては，外枠どうしが接触しているのではなく，面板の傾斜縁部の鋭角の先端どうしが互いに突き合わされた形で直接接触しているので，目地の目立たないきれいなコンクリート仕上がり面を得ることができる。
【００２４】
請求項４によれば，内枠が面板受けを設けるための構造として機能し，かつ当該型枠パネル全体の補強として機能し，かつ，面板の外周近傍を支持して剛性の低い面板を補強する機能を果たすという，多面的に機能を持つので，コンクリート型枠パネルの構造としてきわめて効率的である。
【図面の簡単な説明】
【図１】本発明の一実施例のコンクリート型枠パネルの分解斜視図である。
【図２】本発明の一実施例のコンクリート型枠パネルの面板を除いた部分を示すもので，（イ）はの平面図，（ロ）は正面図である。
【図３】図２におけるＡ−Ａ拡大断面図である。
【図４】図２におけるＢ−Ｂ拡大断面図である。
【図５】図２におけるＣ−Ｃ拡大断面図である。
【図６】隣接するコンクリート型枠パネルの外枠どうしをクランプ金具で連結した状態を示す断面図である。
【図７】図６の状態を斜視図で示したもので，面板を除いて示している。
【図８】本発明のコンクリート型枠パネルをいわゆるメタルフォームと併用した例を示すもので，本発明のコンクリート型枠パネルの外枠とメタルフォームの外枠とをクランプ金具で連結した状態を示す断面図である。
【図９】従来のコンクリート型枠パネルの一例を示す斜視図である。
【図１０】従来のコンクリート型枠パネルにおける問題を説明するもので，隣接するコンクリート型枠パネルの境界部分の概略の断面図であり，（イ），（ロ）はそれぞれ異なる例を示す。
【符号の説明】
６  クランプ金具
１１  型枠パネル（コンクリート型枠パネル）
１２  枠体
１３  面板
１３ａ  傾斜端面
１３ｂ  発泡ポリプロピレン
１３ｃ  ポリプロピレンシート
１５  外枠
１５ａ  上端縁の傾斜面
１５ｂ  連結穴
１６  内枠
１７，１８  補強リブ
１９  面板受け
１９ａ  傾斜面
１９ｂ  平坦面
１９ｃ  取付穴
２０  ねじ
【図１】
0003596987.tif 000002
【図２】
0003596987.tif 000003
【図３】
0003596987.tif 000004
【図４】
0003596987.tif 000005
【図５】
0003596987.tif 000006
【図６】
0003596987.tif 000007
【図７】
0003596987.tif 000008
【図８】
0003596987.tif 000009
【図９】
0003596987.tif 000010
【図１０】
0003596987.tif 000011